(57)【要約】【課題】  遮断対象箇所がコーナー部を含むものであって、遮断対象箇所全体を完全に遮断することができる防火スクリーン装置を提供する。【解決手段】  平面部とコーナー部または他の平面部とを組み合わせてなる遮断対象箇所を遮断する防火スクリーン装置であって、前記平面部に対応する部分に繰り出し巻き取り可能に設けられる主幕体２と、前記コーナー部または前記他の平面部に対応する部分に繰り出し巻き取り可能に設けられる副幕体１０とを備え、前記主幕体と前記副幕体との少なくともいずれか一方の幅方向の端部に重合部を設け、前記主幕体または前記副幕体の端部と前記重合部とを幅方向に所定の自由度をもった状態で互いに係合することによりシールする。係合部の係合角度をコーナー部の角度に追従させることができるので、コーナー部を含む遮断対象箇所を完全に遮断することができる。【選択図】    図１
2005188148.tif 000002
【特許請求の範囲】
【請求項１】
平面部とコーナー部または他の平面部とを組み合わせてなる遮断対象箇所を遮断する防火スクリーン装置であって、前記平面部に対応する部分に繰り出し巻き取り可能に設けられる主幕体と、前記コーナー部または前記他の平面部に対応する部分に繰り出し巻き取り可能に設けられる副幕体とを備え、前記主幕体と前記副幕体との少なくともいずれか一方の幅方向の端部に重合部を設け、前記主幕体または前記副幕体の端部と前記重合部とを幅方向に所定の自由度をもった状態で互いに係合することによりシールされていることを特徴とする防火スクリーン装置。
【請求項２】
前記重合部は、前記主幕体または前記副幕体の幅方向の端部に重合片を重合してなり、前記主幕体または前記副幕体の端部と前記重合片とを幅方向に所定の自由度をもった状態で互いに係合することを特徴とする請求項１に記載の防火スクリーン装置。
【請求項３】
前記重合片は、前記主幕体もしくは前記副幕体の幅方向の端部を折り返して重合し、または前記主幕体もしくは前記副幕体と別体に形成したものを重合してなることを特徴とする請求項２に記載の防火スクリーン装置。
【請求項４】
前記重合片は、前記主幕体もしくは前記副幕体の幅方向の端部を複数に分岐してなり、または前記主幕体もしくは前記副幕体と別体に形成したものを接続して複数に分岐してなることを特徴とする請求項２に記載の防火スクリーン装置。
【請求項５】
前記主幕体は、正逆回転可能に設けられる主巻取り軸に巻回されるとともに、前記副幕体は、正逆回転可能に設けられる副巻取り軸に巻回され、前記主巻取り軸の正回転又は逆回転により前記主幕体が前記主巻取り軸から繰り出され又は前記主巻取り軸に巻き取られ、前記副巻取り軸の正回転又は逆回転により前記副幕体が前記副巻取り軸から繰り出され又は前記副巻取り軸に巻き取られ、かつ、前記主巻取り軸と前記副巻取り軸とが同調して回転するように構成したことを特徴とする請求項１〜４のいずれかに記載の防火スクリーン装置。
【請求項６】
前記主巻取り軸を天井部分に設けるとともに、前記主幕体の下端部にウエイトバーを設けてその端部をコーナー部に延出させ、さらに、前記ウエイトバーのコーナー部に延出させた部分に前記副巻取り軸を正逆回転可能に固定するとともに、前記副巻取り軸から前記副幕体を上方に繰り出し、前記副幕体の上端部を天井部分に固定したことを特徴とする請求項５に記載の防火スクリーン装置。
【請求項７】
前記主巻取り軸を天井部分に設けるとともに、前記主幕体の下端部にウエイトバーを設けてその端部をコーナー部に延出させ、さらに、前記副巻取り軸を天井部分に設けるとともに、前記ウエイトバーのコーナー部に延出させた部分に折返しローラーを回転可能に固定し、前記副巻取り軸から前記副幕体を下方に繰り出し、前記折返しローラーを巻回させて上方に繰り出し、天井部分に固定したことを特徴とする請求項５に記載の防火スクリーン装置。
【発明の詳細な説明】
【技術分野】
【０００１】
本発明は、防火スクリーン装置（防煙機能を有するものも含む）に関し、特に、建物の通路、空間部分等の遮断対象箇所のうち、コーナー部を含む遮断対象箇所を遮断するのに有効な防火スクリーン装置に関するものである。
【背景技術】
【０００２】
建物の内部には、従来から火災時に備えて、火炎や煙を遮断するための防火隔壁や防火シャッター等の防火設備が配備されており、近年では、これらの防火隔壁や防火シャッター等に代わる防火設備として、不燃性、耐火性を有する幕体を使用して火炎や煙を遮断するようにした防火スクリーン装置が提案されている。
【０００３】
防火スクリーン装置は、天井部分に巻取り軸を正逆回転可能に設置し、この巻取り軸に幕体を巻回させてロール状に形成し、火災発生時に巻取り軸を正回転又は逆回転させることにより幕体を下方に繰り出し、建物の通路、空間部分等を遮断するように構成されている。
【０００４】
このような構成の防火スクリーン装置は、遮断対象箇所が平面部のみからなるものである場合には、幕体によって遮断対象箇所を完全に遮断することができるが、遮断対象箇所が平面部とコーナー部との組み合わせからなるものである場合には、平面部に対応する部分を幕体で遮断できても、コーナー部に対応する部分を幕体で完全に遮断することはできない。
【０００５】
このため、コーナー部に対応する部分にレールポストを設置し、このレールポストによって平面部に対応する部分に設置した幕体の縁部を案内し、隣接する幕体間に形成される隙間を塞いでいる。しかし、このような方法では、レールポストの存在によって空間の自由度が阻害されるとともに、美観も阻害されてしまう。
【０００６】
一方、コーナー部の両側の平面部に対応する部分にそれぞれ幕体を設置し、両幕体の側縁部にそれぞれファスナーを固着させ、コーナー部に対応する部分で両ファスナーを互いに係合させることにより、両幕体間に形成される隙間を塞ぐように構成した方法が提案されている（特許文献１参照）。
【０００７】
このような方法にあっては、コーナー部にレールポストを設置する必要がないので、空間の自由度が阻害されることがなく、また、美観が阻害されることもない。しかし、両ファスナーの噛合状態によって両幕体間に形成される隙間の閉塞状態が影響を受けるため、常に両幕体間に形成される隙間を完全に閉塞できるとは限らない。また、ファスナーが湾曲した状態でコーナー部に位置することになるので、ファスナーの噛合い状態がさらに不安定となり、両幕体間の隙間を完全に閉塞することが困難になる。
【０００８】
これらを複数連結し、出入及び巻取り可能な出入口を設けることで、幕体だけで水平方向に閉塞した空間を形成することが可能である。
【０００９】
さらに、これらを複数連結し、繰り出し及び巻取り可能な出入口を設けることで、幕体だけで水平方向に閉塞した空間を形成することが可能である。
【特許文献１】特許第２９３６４７８号公報
【発明の開示】
【発明が解決しようとする課題】
【００１０】
本発明は、上記のような従来の問題を鑑みてなされたものであって、遮断対象箇所が平面部とコーナー部とを組み合わせたものであっても、空間の自由度が阻害されることなく、また、美観が阻害されることなく、遮断対象箇所全体を完全に遮断することができる防火スクリーン装置を提供することを目的とするものである。
【課題を解決するための手段】
【００１１】
本発明は、上記のような課題を解決するために、以下のような手段を採用している。
【００１２】
すなわち、請求項１に係る発明は、平面部とコーナー部または他の平面部とを組み合わせてなる遮断対象箇所を遮断する防火スクリーン装置であって、前記平面部に対応する部分に繰り出し巻き取り可能に設けられる主幕体と、前記コーナー部または前記他の平面部に対応する部分に繰り出し巻き取り可能に設けられる副幕体とを備え、前記主幕体と前記副幕体との少なくともいずれか一方の幅方向の端部に重合部を設け、前記主幕体または前記副幕体の端部と前記重合部とを幅方向に所定の自由度をもった状態で互いに係合することによりシールされていることを特徴とする。
【００１３】
本発明による防火スクリーン装置によれば、遮断対象箇所の平面部に対応する部分に設けられる主幕体及びコーナー部または他の平面部に対応する部分に設けられる副幕体を繰り出すことにより、遮断対象箇所の平面部及びコーナー部または他の平面部を遮断することができる。この場合、前記主幕体と前記副幕体との少なくともいずれか一方の幅方向の端部に設けられる重合部と前記主幕体または前記副幕体の端部とを幅方向に所定の自由度をもった状態で互いに係合することによりシールする。従って、主幕体と副幕体との間に隙間が形成されるようなことはなく、遮断対象箇所全体を完全に遮断することができる。
【００１４】
請求項２に係る発明は、請求項１に記載の防火スクリーン装置であって、前記重合部は、前記主幕体または前記副幕体の幅方向の端部に重合片を重合してなり、前記主幕体または前記副幕体の端部と前記重合片とを幅方向に所定の自由度をもった状態で互いに係合することを特徴とする。  
本発明による防火スクリーン装置によれば、前記重合部は前記主幕体または前記副幕体の幅方向の端部に重合片を重合してなり、前記主幕体または前記副幕体の端部と前記重合片とを幅方向に所定の自由度をもった状態で互いに係合することにより主幕体と副幕体との間をシールする。従って、主幕体と副幕体との間に隙間が形成されるようなことはなく、遮断対象箇所全体を完全に遮断することができる。
【００１５】
請求項３に係る発明は、請求項２に記載の防火スクリーン装置であって、前記重合片は、前記主幕体もしくは前記副幕体の幅方向の端部を折り返して重合し、または前記主幕体もしくは前記副幕体と別体に形成したものを重合してなることを特徴とする。  
本発明による防火スクリーン装置によれば、前記重合片は、前記主幕体もしくは前記副幕体の幅方向の端部を折り返して重合し、または前記主幕体もしくは前記副幕体と別体に形成したものを重合してなり、前記主幕体または前記副幕体の端部と前記重合片とを幅方向に所定の自由度をもった状態で互いに係合することにより主幕体と副幕体との間をシールする。従って、主幕体と副幕体との間に隙間が形成されるようなことはなく、遮断対象箇所全体を完全に遮断することができる。
【００１６】
請求項４に係る発明は、請求項２に記載の防火スクリーン装置であって、前記重合片は、前記主幕体もしくは前記副幕体の幅方向の端部を複数に分岐してなり、または前記主幕体もしくは前記副幕体と別体に形成したものを接続して複数に分岐してなることを特徴とする。  
本発明による防火スクリーン装置によれば、前記重合片は、前記主幕体もしくは前記副幕体の幅方向の端部を複数に分岐してなり、または前記主幕体もしくは前記副幕体と別体に形成したものを接続して複数に分岐してなり、前記主幕体または前記副幕体の端部と前記重合片とを幅方向に所定の自由度をもった状態で互いに係合することにより主幕体と副幕体との間をシールする。従って、主幕体と副幕体との間に隙間が形成されるようなことはなく、遮断対象箇所全体を完全に遮断することができる。
【００１７】
請求項５に係る発明は、請求項１〜４のいずれかに記載の防災スクリーン装置であって、前記主幕体は、正逆回転可能に設けられる主巻取り軸に巻回されるとともに、前記副幕体は、正逆回転可能に設けられる副巻取り軸に巻回され、前記主巻取り軸の正回転又は逆回転により前記主幕体が前記主巻取り軸から繰り出され又は前記主巻取り軸に巻き取られ、前記副巻取り軸の正回転又は逆回転により前記副幕体が前記副巻取り軸から繰り出され又は前記副巻取り軸に巻き取られ、かつ、前記主巻取り軸と前記副巻取り軸とが同調して回転するように構成したことを特徴とする。  
本発明による防火スクリーン装置によれば、主巻取り軸を正回転又は逆回転させることにより、主幕体が主巻取り軸から繰り出され、又は主巻取り軸に巻き取られ、副巻取り軸を正回転又は逆回転させることにより、副幕体が副巻取り軸から繰り出され、又は副巻取り軸に巻き取られることになる。この場合、主巻取り軸と副巻取り軸とは同調して正回転又は逆回転することになるので、主幕体と副幕体との間を確実にシールすることができ、主幕体と副幕体との間に隙間が形成されるのを阻止でき、遮断対象箇所全体を完全に遮断することができる。
【００１８】
請求項６に係る発明は、請求項５に記載の防火スクリーン装置であって、前記主巻取り軸を天井部分に設けるとともに、前記主幕体の下端部にウエイトバーを設けてその端部をコーナー部に延出させ、さらに、前記ウエイトバーのコーナー部に延出させた部分に前記副巻取り軸を正逆回転可能に固定するとともに、前記副巻取り軸から前記副幕体を上方に繰り出し、前記副幕体の上端部を天井部分に固定したことを特徴とする。  
本発明による防火スクリーン装置によれば、主幕体は、ウエイトバーの重量により主巻取り軸から繰り出され、主幕体の繰り出しに追従してウエイトバーの上部の副巻取り軸から副幕体が繰り出されることになる。
【００１９】
請求項７に係る発明は、請求項５に記載の防火スクリーン装置であって、前記主巻取り軸を天井部分に設けるとともに、前記主幕体の下端部にウエイトバーを設けてその端部をコーナー部に延出させ、さらに、前記副巻取り軸を天井部分に設けるとともに、前記ウエイトバーのコーナー部に延出させた部分に折返しローラーを回転可能に固定し、前記副巻取り軸から前記副幕体を下方に繰り出し、前記折返しローラーを巻回させて上方に繰り出し、天井部分に固定したことを特徴とする。  
本発明による防火スクリーン装置によれば、主幕体は、ウエイトバーの重量により主巻取り軸から繰り出され、主幕体の繰り出しに追従して天井部分の副巻取り軸から折返しローラーを介して副幕体が繰り出されることになる。
【発明の効果】
【００２０】
以上、説明したように、本発明の防火スクリーン装置によれば、主幕体及び副幕体を繰り出したときに、前記主幕体と前記副幕体との少なくともいずれか一方の幅方向の端部に設けられる重合部と前記主幕体または前記副幕体の端部とを幅方向に所定の自由度をもった状態で互いに係合することによりシールする。従って、主幕体と副幕体との間に隙間が形成されるようなことはないので、遮断対象箇所が平面部とコーナー部とからなるものであっても、遮断対象箇所全体を完全に遮断することができる。
【００２１】
また、前記主幕体または前記副幕体の端部と前記重合片とは幅方向に所定の自由度をもった状態で互いに係合しているので、コーナー部の角度の大小に係わらず、平面部とコーナー部とからなる遮断対象箇所を完全に遮断することができる。
【００２２】
さらに、遮断対象箇所にレールポスト等を設置する必要がないので、空間の自由度を阻害したり、美観を阻害したりするようなことはない。  
さらに、主幕体と副幕体との間をファスナーで塞いだ場合のように、ファスナーの噛合状態によって主幕体と副幕体との間の隙間の閉塞性が影響を受けるようなことはなく、常に良好な閉塞性が得られる。
【発明を実施するための最良の形態】
【００２３】
以下、図面を参照しつつ、本発明の実施の形態について説明する。
【００２４】
図１〜図９には、本発明による防火スクリーン装置の一実施の形態が示されていて、この防火スクリーン装置１は、建物の通路、空間部分等の遮断対象箇所のうち、例えば、２つの平面部と両平面部間に位置するコーナー部とからなる遮断対象箇所に適用したものである。
【００２５】
すなわち、この防火スクリーン装置１は、遮断対象箇所の各平面部に対応する部分に設けられる主幕体２と、コーナー部に対応する部分に設けられる副幕体１０とを備えている。
【００２６】
各主幕体２及び副幕体１０は、可撓性を有するとともに、不燃性、耐火性に優れた特性を有する素材からなるものであって、ガラス繊維等からなる織布、シリカクロス等からなる布等を素材としてシート状に形成されている。
【００２７】
各主幕体２の幅方向の一端部は、ほぼ全長に渡って所定の幅で折り返されて二重構造のレ形状の重合部３に形成され、この重合部３を構成する重合片４と主幕体２との間で幅方向の内方が開口する係合溝５が形成され、この係合溝５内に後述する副幕体１０の重合部１１の重合片１２が幅方向及び長辺方向に所定の自由度をもって係合されるように構成されている。
【００２８】
各主幕体２の重合部３は、前述したように、各主幕体２の幅方向の一端部を折り返して構成しても良いし、帯状の重合片４を各主幕体２の幅方向の一端部に重合させ、重合片４の端部と各主幕体２の端部との間を接着、縫製等の接合手段によって一体に接合するように構成しても良い（図示せず）。各主幕体２の幅方向の一端部を折り返して構成した場合には、重合片４の復元力によって副幕体１０の重合片１２との係合力を強めることができる。
【００２９】
遮断対象箇所の各平面部に対応する天井裏の部分には、それぞれ主巻取り軸６が正逆回転可能に設けられている。本実施例では、幕体の繰り出し方向、巻き取り方向をそれぞれ巻取り軸の正回転、逆回転とする。この主巻取り軸６の周囲に主幕体２が一端側（上端側）から巻回されてロール状に形成され、主巻取り軸６の正回転又は逆回転により、主幕体２が主巻取り軸６から繰り出され、又は主巻取り軸６に巻き取られるように構成されている。この場合、主巻取り軸６は、遮断対象箇所の各平面部に平行に設けられ、各平面部に対して平行に主幕体２が繰り出され、又は巻き取られるように構成されている。
【００３０】
主巻取り軸６は、動力伝達部材（図示せず）を介して駆動源（図示せず）に連結され、駆動源の作動により動力伝達部材を介して正回転又は逆回転（この実施の形態においては正回転）するように構成されている。
【００３１】
主巻取り軸６は、ロック機構（図示せず）の作動により回転方向の所定の位置（主幕体の全体を巻き取った状態）に保持され、ロック機構の作動解除により後述する主ウエイトバー７の重量を受けて正回転し、主幕体２を下方に繰り出すように構成されている。
【００３２】
なお、この実施の形態においては、主巻取り軸６の正回転により、主幕体２が、主巻取り軸６方向よりも、主幕体２および副幕体１０により形成されたコーナー部内側に繰り出され、主巻取り軸６の逆回転により、主幕体２が、主巻取り軸６方向よりも、主幕体２および副幕体１０により形成されたコーナー部内側から巻き取られるように構成しているが、主巻取り軸６の両端を入れ替えて設置して主巻取り軸６の正回転により、主幕体２が、主巻取り軸６方向よりも主幕体２および副幕体１０により形成されたコーナー部外側に繰り出され、主巻取り軸６の逆回転により、主幕体２が、主巻取り軸６方向よりも主幕体２および副幕体１０により形成されたコーナー部外側から巻き取られるように構成しても良い。
【００３３】
各主幕体２の下端部には、それぞれ断面Ｔ形状の主ウエイトバー７が溶接等の連結手段によって一体に設けられている。両主ウエイトバー７、７間には、それらと同一形状の副ウエイトバー１５が溶接等の連結手段によって一体に連結され、この副ウエイトバー１５の上部に後述する副巻取り軸１４が正逆回転可能に固定されている。各主幕体２は、主ウエイトバー７、副ウエイトバー１５及び副巻取り軸１４の重量を受けることにより、各主巻取り軸６から下方に繰り出されるように構成されている。
【００３４】
副幕体１０の幅方向の両端部は、一端部（上端部）を除く全長に渡って所定の幅で折り返されて二重構造のレ形状の重合部１１に形成され、この重合部１１を構成する重合片１２と副幕体１０との間で幅方向の内方が開口する係合溝１３が形成され、この係合溝１３内に前述した主幕体２の重合部３の重合片４が幅方向及び長辺方向に所定の自由度をもって係合されるように構成されている。副幕体１０の長手方向の一端部（上端部）は、図３に示すように、重合片１２の幅が一端に行くに従って順次幅狭となるように構成され、一端部に重合片１２が存在しない部位が形成されている。この場合、図４に示すように、重合片１２を同一幅で形成して、上端部に重合片１２の存在しない部位を形成し、重合片１２の上端を止め金具１６により副幕体１０側に固定するようにしても良い。
【００３５】
副幕体１０の重合部１１は、前述したように、副幕体１０の幅方向の両端部を折り返して構成しても良いし、帯状の重合片１２を副幕体１０の幅方向の両端部に重合させて、重合片１２の端部と副幕体１０の端部との間を接着、縫製等の接合手段によって一体に接合するように構成しても良い（図示せず）。
【００３６】
主幕体２の重合部３の重合片４と副幕体１０の重合部１１の重合片１２とは、上部（副幕体１０の上端固定部の近傍）が図７に示すように互いに係合され、中間部が図８に示すように係合され、下部（主幕体２の主ウエイトバー７の近傍）が図９に示すように係合されている。
【００３７】
なお、主幕体２の重合部３及び副幕体１０の重合部１１は、図１０に示すように、主幕体２（又は副幕体１０）に設けたカバー８によって表面側被覆するようにしても良い。また、図１１に示すように、主幕体２（又は副幕体１０）の重合部３を幅方向の外方に開口するＹ形状に形成し、この重合部３の係合溝５内にフラットに形成した副幕体１０（又は主幕体２）の端部を係合させても良い。図１０及び図１１の重合部については主幕体と副幕体との関係が逆となっても良い。さらに、図１２に示すように、主幕体２（又は副幕体１０）の重合部３を幅方向の外方に開口するＹ形状に形成し、この重合部３の係合溝５内に幅方向の外方に開口するＶ形状に形成した副幕体１０（又は主幕体２）の重合部１１の重合片１２を係合させても良い。
【００３８】
副幕体１０は、図５及び図６に示すように、遮断対象箇所のコーナー部に対応する天井裏の部分に長手方向の一端部（上端部）が固定手段１７により固定されている。すなわち、副幕体１０の長手方向の一端部を固定手段１７である２枚のプレート１８、１８によって両側から挟持し、この状態で両プレート１８、１８を天井裏の部分にねじ等を介して固定することにより、天井裏の部分に長手方向の一端部が固定される。副幕体１０を天井裏に固定する固定手段１７としては、前述したものに限らず、他の周知の固定手段であっても良い。
【００３９】
副幕体１０は、副ウエイトバー１５の上部の正逆回転可能に設けられる副巻取り軸１４の周囲に他端側（下端側）から巻回されてロール状に形成され、副巻取り軸１４の正回転により副巻取り軸１４から繰り出され、副巻取り軸１４の逆回転により副巻取り軸１４に巻き取られる。
【００４０】
副巻取り軸１４は、捩りトルク発生手段（図示せず）に接続され、捩りトルク発生手段により逆回転方向に常時付勢され、すなわち、副幕体１０を巻き取る方向に常時付勢されている。副巻取り軸１４は、捩りトルク発生手段による付勢方向と反対方向に捩りトルクを超える荷重が作用したときに、すなわち、主幕体２が主ウエイトバー７、副ウエイトバー１５、及び副巻取り軸１４の重量を受けて主巻取り軸２から下方に繰り出されたときに、正回転して捩りトルクを蓄積させながら副幕体１０を繰り出すように構成されている。
【００４１】
副巻取り軸１４と主巻取り軸６とは、副幕体１０と主幕体２との繰り出し方向及び巻き取り方向が互いに逆方向となるように構成されている。すなわち、主幕体２は下方に繰り出され、上方に巻き取られ、副幕体１０は上方に繰り出され、下方に巻き取られるように構成されている。また、副巻取り軸１４と主巻取り軸６とは、互いに同調して正逆回転するように構成され、主幕体２及び副幕体１０の繰り出し時及び巻き取り時に、主幕体２及び副幕体１０に弛みが生じるのを防止している。
【００４２】
副幕体１０は、幕体の動作を阻害しないように保護するケースに入っていても良い（図示せず）。
【００４３】
副幕体１０は、図１３に示すように、コーナー部の天井裏の部分に副巻取り軸１４を正逆回転可能に固定し、副ウエイトバー１５の上部に折返しローラー１９を回転可能に固定し、副巻取り軸１４から下方に繰り出した副幕体１０を折返しローラー１９を巻回して上方に繰り出し、副幕体１０の上端部をコーナー部の天井裏の部分に固定するようにしても良い。
【００４４】
上記のように構成したこの実施の形態による防火スクリーン装置１にあっては、通常時は、各主巻取り軸６に主幕体２が巻き取られ、かつ副巻取り軸１４に副幕体１０が巻き取られた状態にあり、主幕体２の下端部の主ウエイトバー７及び副幕体１０の下端部の副ウエイトバー１５が天井部分に位置している。
【００４５】
そして、火災等が発生したときには、その信号を検出することにより、主巻取り軸６を制動しているロック機構の作動が解除され、主ウエイトバー７及び副ウエイトバー１５の重量を受けて主巻取り軸６が正回転し、主巻取り軸６から主幕体２が繰り出される。主幕体２が主巻取り軸６から繰り出されると、主幕体２の繰り出しに追従して副幕体１０に引張力が加わり、この引張り力により副巻取り軸１４が正回転し、副巻取り軸１４から副幕体１０が繰り出され、同時に副巻取り軸１４に捩りトルクが蓄積される。
【００４６】
この場合、各主幕体２の幅方向の一端部の重合部３の重合片４と副幕体１０の幅方向の両端部の重合部１１の重合片１２とが、幅方向及び長辺方向に所定の自由度をもった状態で互いに係合することにより両幕体２、１０の重合部３、１１間がシールされ、両幕体２、１０間に隙間が形成されるのが阻止される。
【００４７】
そして、主ウエイトバー７及び副ウエイトバー１５が床面に接触することにより、主幕体２及び副幕体１０の繰り出しが停止され、主幕体２によって遮断対象箇所の平面部が遮断され、副幕体１０によってコーナー部が遮断される。この場合、主幕体２の重合部３と副幕体１０の重合部１１とは、図７〜図９に示すように、上部、中間部及び下部の全てにおいて、重合片４、１２同士が互いに係合された状態にあり、両重合部３、１１間が完全にシールされた状態となっている。従って、遮断対象箇所の全体が完全に遮断され、火炎、煙等を完全に遮断することができ、延焼を抑えることができる。
【００４８】
そして、火災等が解消された場合には、主巻取り軸６の駆動源を作動させ、動力伝達部材を介して主巻取り軸６を逆回転させることにより、主巻取り軸６に主幕体２が巻き取られるとともに、主幕体２の巻取りに追従して副巻取り軸１４が捩りトルク発生手段により逆回転することにより、副巻取り軸１４に副幕体１０が巻き取られ、主ウエイトバー７及び副ウエイトバー１５が初期の天井部分に位置することになる。
【００４９】
天井部に固定された部分と下降する部分とは、周知の通り、遮断対象箇所に対応する天井裏の部分に設けられている箱体状のケース内に固定され、かつ幕部が動作可能かつ防火、防煙の機能を発揮できるように区画され、下降部分が収納されるようになっているものとする（図示せず）。
【００５０】
上記のように構成したこの実施の形態による防火スクリーン装置１にあっては、主幕体２及び副幕体１０を繰り出して遮断対象箇所を遮断する場合に、主幕体２の重合部３の重合片４と副幕体１０の重合部１１の重合片１２とが、幅方向及び長辺方向に所定の自由度をもった状態で互いに係合され、両重合部３、１１間がシールされているので、主幕体２と副幕体１０との間に隙間が形成されるのを阻止できる。従って、遮断対象箇所が平面部とコーナー部とを組み合わせてなるものであっても、全体を完全に遮断することができる。  そして、両幕体２、１０の両重合部３、１１は、幅方向に所定の自由度をもった状態で係合されているので、コーナー部の角度の大小に係わらず、コーナー部の角度に両重合部３、１１の係合角度を追従させることができるので、コーナー部を含む遮断対象箇所を完全に遮断することができ、利用範囲を広げることができる。
【００５１】
なお、これらを複数連結し、出入及び巻取り可能な出入口を設けることで、幕体だけで水平方向に閉塞した空間を形成することが可能である。
【図面の簡単な説明】
【００５２】
【図１】本発明による防火スクリーン装置の一実施の形態を示した概略図であって、主幕体及び副幕体を主巻取り軸及び副巻取り軸に巻き取った状態を示した説明図である。
【図２】主幕体及び副幕体を主巻取り軸及び副巻取り軸から繰り出した状態を示した説明図である。
【図３】副幕体の上端部を示した説明図である。
【図４】副幕体の上端部の他の例を示した説明図である。
【図５】副幕体の固定手段を示した説明図であって、天井部分への固定前の状態を示した説明図である。
【図６】副幕体の固定手段を示した説明図であって、天井部分への固定後の状態を示した説明図である。
【図７】主幕体と副幕体との上部の係合状態を示した説明図である。
【図８】主幕体と副幕体との中間部の係合状態を示した説明図である。
【図９】主幕体と副幕体との下部の係合状態を示した説明図である。
【図１０】主幕体の重合部と副幕体の重合部の他の例を示した説明図である。
【図１１】主幕体の重合部と副幕体の重合部の他の例を示した説明図である。
【図１２】主幕体の重合部と副幕体の重合部の他の例を示した説明図である。
【図１３】本発明による防火スクリーン装置の変形例を示した説明図である。
【符号の説明】
【００５３】
１  防火スクリーン装置
２  主幕体
３、１１  重合部
４、１２  重合片
６  主巻取り軸
７  主ウエイトバー
１０  副幕体
１４  副巻取り軸
１５  副ウエイトバー
１９  折返しローラー
【図１】
2005188148.tif 000003
【図２】
2005188148.tif 000004
【図３】
2005188148.tif 000005
【図４】
2005188148.tif 000006
【図５】
2005188148.tif 000007
【図６】
2005188148.tif 000008
【図７】
2005188148.tif 000009
【図８】
2005188148.tif 000010
【図９】
2005188148.tif 000011
【図１０】
2005188148.tif 000012
【図１１】
2005188148.tif 000013
【図１２】
2005188148.tif 000014
【図１３】
2005188148.tif 000015